(57)【要約】【課題】プロジェクターの設置状態を変更して使用した場合でも、正確なランプ交換時期を通知するために必要なランプ点灯時間を記憶するプロジェクター用ランプユニットを提供する。さらに、ユーザーに正確なランプ交換時期を通知することができるプロジェクターを提供する。【解決手段】ランプ４１から射出された光束を変調し拡大投写するプロジェクター１であって、プロジェクター１の設置状態を検出する設置状態検出部５１，５３，５５と、それぞれの設置状態でのランプ４１の点灯時間を設置状態毎に積算する点灯時間測定部１０１と、点灯時間の積算値を設置状態毎に記憶する記憶部４６と、を有する。【選択図】図３
2011075972.tif 000002
【特許請求の範囲】
【請求項１】
プロジェクターの設置状態に応じたランプの点灯時間が書き込まれるメモリーを備えたことを特徴とするプロジェクター用ランプユニット。
【請求項２】
請求項１に記載のプロジェクター用ランプユニットを搭載可能なプロジェクターであって、
前記プロジェクターの設置状態を検出する設置状態検出部と、
それぞれの設置状態での前記ランプの点灯時間を設置状態毎に積算する点灯時間測定部と、を備え、
前記点灯時間の積算値を設置状態毎に前記メモリーに記憶することを特徴とするプロジェクター。
【請求項３】
ランプから射出された光束を変調し拡大投写するプロジェクターであって、
前記プロジェクターの設置状態を検出する設置状態検出部と、
それぞれの設置状態での前記ランプの点灯時間を設置状態毎に積算する点灯時間測定部と、
前記点灯時間の積算値を設置状態毎に記憶するメモリーと、を有することを特徴とするプロジェクター。
【請求項４】
基準とする設置状態以外の設置状態における積算値に所定の係数を乗じて、前記基準とする設置状態における点灯時間に対応させた対応積算値へ変換する積算値変換部を更に有することを特徴とする請求項２または３のいずれかに記載のプロジェクター。
【請求項５】
前記基準とする設置状態における積算値と前記対応積算値との和と、予め設定されている前記ランプの寿命と、を比較し、前記和が前記寿命に達していたら警告情報を出力する警告通知部を更に有することを特徴とする請求項４に記載のプロジェクター。
【発明の詳細な説明】
【技術分野】
【０００１】
本発明は、プロジェクター用ランプユニット及びプロジェクターに関する。
【背景技術】
【０００２】
光源から射出された光束を画像情報に応じて変調し、拡大投写するプロジェクターがプレゼンテーションやホームシアターの分野で利用されている。このようなプロジェクターには、光源となるランプと、このランプからの光束を反射させるリフレクターと、これらを収容するハウジングとを備えたランプユニットが搭載されている。
【０００３】
通常、ランプは点灯時間が長くなるにつれて輝度が低下し、投写映像が暗くなることがある。適当な点灯時間が経過すると新しいランプと交換する必要があるため、ランプの点灯時間をカウントしており、点灯時間が所定時間以上になったときをランプの交換時期としてユーザーに知らせるものがある。
【０００４】
特許文献１には、ランプを収納する着脱式のランプユニット内に記憶回路が実装され、記憶回路にランプに関する情報を記憶させるランプ情報管理方法が記載されている。
プロジェクター本体のスイッチをＯＮすると、メイン回路は記憶回路から前回までのランプの使用時間を読込み、読込んだ使用時間を予め記憶したランプの交換時間と比較し、使用時間が短ければランプを発光させ、長ければランプ交換を促す表示を行った後、ランプを発光させる。本体のスイッチをＯＦＦすると、メイン回路はスイッチＯＮ時に記憶回路から読込んだ前回までのランプの使用時間に、今回の使用時間を加算して記憶回路に書込む。これにより、ランプ交換の時期を使用者に正確に知らせ、性能及び動作の信頼性を大きく向上させることができる。
【０００５】
ところで、近年のプロジェクターは、机上に設置して使用する状態（以下では、「正置き設置」という。）のほか、プロジェクターの上下を逆にし、天井に吊り下げて使用する形態（以下では、「天吊り設置」という。）に対応した製品が多い。さらに、映像の投写方向を上に向けた上投射設置や、映像の投写方向を下に向けた下投写設置にも対応したプロジェクターも提案されている。
【０００６】
一般にプロジェクターのランプは、適切な冷却を行わないと寿命が低下することが知られている。例えば特許文献２には、発光管の下側部において温度が下がりすぎてしまうと、発光管のガス蒸気圧が低くなりすぎて、発光管の寿命が短くなることが記載されている。プロジェクターの設置状態によっては、冷却のための気流が適切な方向から流れないために、発光管の下側部が過度に冷却されてしまう場合がある。つまり、プロジェクターの設置状態によって、ランプの寿命に差が生じてしまうことがある。設置状態を変更しなければ、特許文献１に記載の方法によってユーザーは正確なランプ交換時期を知ることができるが、設置状態を変更してしまうと、ユーザーに正確なランプ交換時期を通知することができなくなってしまう。
【先行技術文献】
【特許文献】
【０００７】
【特許文献１】特開２００３−３３０１１２号公報
【特許文献２】特許第４２８１４２９号公報
【発明の概要】
【発明が解決しようとする課題】
【０００８】
本発明は上記課題を解決するためにされたものであって、プロジェクターの設置状態を変更して使用した場合でも、正確なランプ交換時期を通知するために必要なランプ点灯時間を記憶するプロジェクター用ランプユニットを提供することを目的とする。さらに、ユーザーに正確なランプ交換時期を通知することができるプロジェクターを提供することを目的とする。
【課題を解決するための手段】
【０００９】
上記課題を解決することのできる本発明のプロジェクター用ランプユニットは、プロジェクターの設置状態に応じたランプの点灯時間が書き込まれるメモリーを備えたことを特徴とする。
上記構成によれば、プロジェクターの設置状態を変更して使用した場合でも、設置状態に応じてランプの点灯時間がメモリーに書き込まれるので、正確なランプ交換時期を通知するために必要なランプ点灯時間を保持することができる。さらに、メモリーがランプユニットに備えられているため、ランプユニットごと他のプロジェクターに付け替えた場合でも、ランプ点灯時間がリセットされることなく累積されるので、正確なランプ点灯時間を取得することができる。
【００１０】
また、上記課題を解決することのできる本発明は、上記のプロジェクター用ランプユニットを搭載可能なプロジェクターであって、
前記プロジェクターの設置状態を検出する設置状態検出部と、それぞれの設置状態での前記ランプの点灯時間を設置状態毎に積算する点灯時間測定部と、を備え、前記点灯時間の積算値を設置状態毎に前記メモリーに記憶することを特徴とする。
上記構成によれば、プロジェクターの設置状態を変更して使用した場合でも、設置状態毎にランプ点灯時間の積算値を取得することができるので、ユーザーに正確なランプ交換時期を通知することができるプロジェクターを提供することができる。
【００１１】
また、上記課題を解決することのできる本発明は、ランプから射出された光束を変調し拡大投写するプロジェクターであって、前記プロジェクターの設置状態を検出する設置状態検出部と、それぞれの設置状態での前記ランプの点灯時間を設置状態毎に積算する点灯時間測定部と、前記点灯時間の積算値を設置状態毎に記憶するメモリーと、を有することを特徴とする。
上記構成によれば、プロジェクターの設置状態を変更して使用した場合でも、設置状態毎にランプ点灯時間の積算値を取得することができるので、ユーザーに正確なランプ交換時期を通知することができるプロジェクターを提供することができる。
【００１２】
また、本発明のプロジェクターにおいて、基準とする設置状態以外の設置状態における積算値に所定の係数を乗じて、前記基準とする設置状態における点灯時間に対応させた対応積算値へ変換する積算値変換部を更に有することが好ましい。
上記構成によれば、積算値に所定の係数を乗じることによって、ある設置状態における点灯時間を、基準とする設置状態における点灯時間に変換することができる。例えば、上投写設置や下投射設置におけるランプの点灯時間を、基準とする正置き設置におけるランプの点灯時間に変換することができる。すなわち、プロジェクターの設置状態によってランプの寿命が短くなる場合でも、所定の係数を乗じることによって、短くなった分を考慮したランプ点灯時間を算出することができる。
【００１３】
また、本発明のプロジェクターにおいて、前記基準とする設置状態における積算値と前記対応積算値との和と、予め設定されている前記ランプの寿命と、を比較し、前記和が前記寿命に達していたら警告情報を出力する警告通知部を更に有することが好ましい。
上記構成によれば、基準とする設置状態における積算値と対応積算値の和を算出する。この和がランプの寿命に達している場合に警告を出力することができる。これにより、正確なランプ交換時期をユーザーに通知することができる。
【図面の簡単な説明】
【００１４】
【図１】本実施形態のプロジェクターの概観斜視図である。
【図２】本実施形態のプロジェクターの筐体に設けられたランプカバーを開いてランプユニットを取り出し状態を示す斜視図である。
【図３】本実施形態のプロジェクターの内部構成を示すブロック図である。
【図４】設置状態毎に累積点灯時間を記録する処理を説明するフローチャートである。
【図５】設置状態毎に記録した累積点灯時間の総和を算出し、表示する処理を説明するフローチャートである。
【図６】変形例のプロジェクターの内部構成を示すブロック図である。
【発明を実施するための形態】
【００１５】
以下、本発明に係るプロジェクター用ランプユニット及びプロジェクターの好適な実施形態について、図面を参照して詳細に説明する。
【００１６】
図１及び図２に示すように、本実施形態のプロジェクター１は、前面を覆うフロントケース２２、上面を覆うアッパーケース２８、底面を覆うロアーケース２６等からなる筐体２で囲まれた構成を有している。筐体２の前面には、画像を投写する投写レンズ１６０が露出しており、筐体２の背面には、外部接続機器から映像データ等が入力される接続端子が配設されている。
【００１７】
筐体２の上面には、操作パネル３１と、ランプカバー２４が設けられている。操作パネル３１は、電源のオンあるいはオフを行うための電源キーや、メニュー画像を合成表示するためのメニューキー、入力ソースを切り替えるためのソースキー等、複数のキーを備えており、ユーザーは、操作パネル３１上の各キーを操作することにより、プロジェクター１に対して各種指示を行うことができる。
【００１８】
ランプカバー２４は、略長方形形状のカバー部材であり、筐体２内に備えられるランプユニット４０を保護している。また、ランプカバー２４の一端側には、アッパーケース２８との間でヒンジ機構が形成されており、他端側を持ち上げることによってランプカバー２４を開くことができるようになっている。ランプカバー２４を開くと、筐体２内に形成された凹状のランプ収容部４が露出し、ランプ収容部４に装着されたランプユニット４０を交換することが可能となる。
【００１９】
次に、プロジェクターの内部構成について図３を参照して説明する。
図３に示すように、プロジェクター１は、ＰＣ、ＤＶＤプレーヤーなどの外部機器から映像信号や音声信号を入力する入力端子である入力部９、映像音声処理部１３、映像処理部１５、液晶パネル駆動部１７、音声処理部１９、音声出力部としてのスピーカー２１、ランプ駆動部２３、キー入力処理部２５、リモコン受光部２７、冷却制御部２９、操作パネル３１、温度検出部３２、冷却ファン３３、キー操作処理部３７、センサー制御部５１、第１の加速度センサー５３、第２の加速度センサー５５及び光学系７０および制御部１００を有している。
【００２０】
光学系７０は、光変調部としての液晶パネル７２、投写レンズ７３及びランプユニット４０を有している。ランプユニット４０は、ランプ４１及びリフレクターである凹面鏡４２からなる光源４５と、ランプ４１の点灯時間が書き込まれる記憶部４６（メモリー）と、制御部１００と記憶部４６を接続するためのインターフェイス４７と、を有している。
【００２１】
これら光源４５、記憶部４６及びインターフェイス４７はランプハウジングに固定されて収納されている。図２に示したようにランプユニット４０単体でプロジェクター１から分離可能である。ランプ４１には寿命があるため、消耗した場合はランプユニット４０ごと新しいものと交換することができる。
さらに、プロジェクター１の外装を構成する筐体２には、吸気口９１が形成され、吸気口９１の近傍には、フィルター９２などが設置されている。
【００２２】
制御部１００は、ＣＰＵ（Central Processing Unit）と、書き換え可能な不揮発性のプログラムメモリーと、ＣＰＵが直接アクセスすることができる主記憶部と、を備えている。プログラムメモリーには、プロジェクター１の各種動作を制御するための制御プログラムが記憶されている。本実施形態では、ＣＰＵが制御プログラムを実行することによって、制御部１００には、点灯時間測定部１０１、積算値変換部１０３及び警報通知部１０５が構成される。各機能部については後ほど詳述する。
【００２３】
次に、上述したプロジェクター１を構成する各部の動作を説明する。
まず、映像音声処理部１３は、入力部９から入力される映像信号をデコードして圧縮符号化前の映像データに変換し、これらをたとえばＲＧＢ信号に変換して順次映像処理部１５に出力する。また、音声データ部分についても同様にデコードを行い、Ｄ／Ａ変換により音声信号に変換し、順次音声処理部１９に出力する。
【００２４】
また、映像音声処理部１３は、制御部１００の警報通知部１０５から警告メッセージを出力するよう指示されると、警告メッセージの映像データを映像処理部１５へ出力したり、警告メッセージの音声信号を音声処理部１９に出力する。
【００２５】
映像処理部１５は、映像音声処理部１３より受信したＲＧＢ信号に対してγ補正処理、台形補正処理、解像度変換処理などを行い、液晶パネル駆動部１７に出力する。
液晶パネル駆動部１７は、映像処理部１５から入力されるＲＧＢ信号に基づき液晶パネル駆動信号を出力し、光変調部としての液晶パネル７２に供給し駆動する。
【００２６】
音声処理部１９は、映像音声処理部１３より受信した音声信号をスピーカー２１に出力する。なお、音声処理部１９は、音量増幅部を有しており、音量の増幅を行ってスピーカー２１に出力する。これにより、スピーカー２１は、増幅されて入力するアナログ音声信号を出力する。
【００２７】
リモコン受光部２７は、例えば押ボタン式の操作キーを有するリモートコントローラー２００より、赤外線通信によってリモート制御信号を受信する。
キー入力処理部２５は、リモコン受光部２７が受信したリモート制御信号をデジタルコードデータに変換して制御部１００に出力する。
【００２８】
キー操作処理部３７は、操作パネル３１より、操作キーが押下されたことを検知すると、押下された操作キーに対応するデジタルコードデータを制御部１００に出力する。
【００２９】
制御部１００は、プロジェクター１の動作を統括制御する。
【００３０】
制御部１００は、キー入力処理部２５及びキー操作処理部３７から入力されたデジタルコードデータに応じて制御信号を映像音声処理部１３、ランプ駆動部２３や冷却制御部２９などに出力する。これにより、例えば、外部接続機器の切替え、投写条件の各種設定、ランプ４１の点灯あるいは消灯、冷却ファン３３の回転数制御などの動作を実行させることができる。
【００３１】
さらに、本実施形態の制御部１００は、以下の機能を提供する。
（点灯時間測定機能）
点灯時間測定部１０１はタイマーを備えており、ランプユニット４０の点灯時間を測定し、累積点灯時間（ランプ点灯時間の積算値）を算出する。算出した累積点灯時間をランプユニット４０内の記憶部４６に記憶する。具体的には、制御部１００がランプ駆動部２３にランプユニット４０の点灯を指示してから消灯を指示するまでの点灯時間を計測する。記憶部４６に記憶されている累積点灯時間を読み出し、計測した点灯時間を加算する。加算後の累積点灯時間を記憶部４６に記憶することで累積点灯時間を更新する。
【００３２】
なお、点灯時間測定部１０１は、プロジェクター１の設置状態毎に累積点灯時間を記憶部４６に記憶する。第１の加速度センサー５３あるいは第２の加速度センサー５５によって、プロジェクター１の設置状態が検出されると、検出された設置状態における点灯時間を計測する。例えば、第１の加速度センサー５３が、プロジェクター１の正置き設置と天吊り設置とを検出するセンサーであるとすると、センサー制御部５１は、プロジェクター１の設置状態を検出して設置状態検出信号を制御部１００へ通知する。通知を受けた点灯時間測定部１０１は、正置き設置あるいは天吊り設置における点灯時間を計測する。
【００３３】
また、センサー制御部５１は、プロジェクター１が正置き設置から天吊り設置へ変更された際、あるいは、天吊り設置から正置き設置へ変更された際に、設置状態検出信号を受信した場合も制御部１００へ通知する。通知を受けた点灯時間測定部１０１は、タイマーをリセットし、変更後の設置状態における点灯時間の計測を開始する。
【００３４】
そして、点灯時間測定部１０１は、ランプ４１が消灯された場合に点灯時間の計測を終了する。そして記憶部４６の、正置き設置あるいは天吊り設置における累積点灯時間が記憶されている番地にアクセスして累積点灯時間を読み出し、測定した点灯時間を加算する。加算後の累積点灯時間を再び記憶部４６の該当番地に記憶することで累積点灯時間を更新する。
【００３５】
同様に、第２の加速度センサー５５が、プロジェクター１の上投写設置と下投写設置とを検出するセンサーであるとすると、センサー制御部５１は、プロジェクター１が上投写設置から下投写設置へ変更された際、あるいは、下投写設置から上投写設置へ変更された際に、設置状態検出信号を受信した場合も制御部１００へ通知する。通知を受けた点灯時間測定部１０１は、変更後の設置状態における点灯時間の計測を開始する。
【００３６】
そして、点灯時間測定部１０１は、ランプ４１が消灯されるか、あるいは再び設置状態検出信号を受信した場合に点灯時間の計測を終了する。そして記憶部４６のうち、上投写設置あるいは下投写設置における累積点灯時間が記憶されている番地にアクセスして累積点灯時間を読み出し、計測した点灯時間を加算する。加算後の累積点灯時間を再び記憶部４６の該当番地に記憶することで累積点灯時間を更新する。
【００３７】
本実施形態では、センサー制御部５１、第１の加速度センサー５３及び第２の加速度センサー５５によって設置状態検出部が構成されている。
【００３８】
（積算値変換機能）
積算値変換部１０３は、プロジェクター１の基準とする設置状態以外の設置状態における累積点灯時間に所定の係数を乗じて、基準とする設置状態における点灯時間に対応させた対応累積点灯時間（対応積算値）へ変換する。
【００３９】
例えば、基準とする設置状態を正置き設置とすると、それ以外の天吊り設置、上投写設置及び下投写設置における累積点灯時間に所定の係数を乗じる。所定の係数を乗じることで、天吊り設置、上投写設置及び下投写設置における累積点灯時間を、正置き設置における累積点灯時間に対応させた対応積算値へ変換することができる。所定の係数としては、基準とする設置状態の場合を１とすると、それよりランプの寿命が短くなる設置状態にあるほど係数の値を１．５や２．０と大きくする。
【００４０】
ランプ４１の寿命は上述した通り、プロジェクター１の設置状態によって異なるため、この異なる分を所定の係数によって調整している。
【００４１】
（警報通知機能）
警報通知部１０５は、プロジェクター１の基準とする設置状態における累積点灯時間及び係数によって調整された対応累積点灯時間の和と、予め設定されているランプ４１の寿命と、を比較し、累積点灯時間の和がランプの寿命に達していたら警告情報を映像音声処理部１３へ出力する。
【００４２】
制御部３０には、ランプユニット４０の交換目安時間が記憶されている。交換目安時間は、ランプユニット４０の交換の目安となる時間であり、ランプ４１の寿命である。ランプユニット４０を適正な状態で使用可能な時間（例えば、３０００時間）に設定されている。このため、警報通知部１０５は、累積点灯時間の和が交換目安時間を超過したか否かを判断することにより、ランプユニット４０が寿命に達しているか否かを判定する。
【００４３】
次にプロジェクター１の光学系７０の構成および動作を説明する。
光学系７０は、ランプユニット４０と、照明光学系と、光変調部と、色合成光学系と、投写部とを有して構成されている。
【００４４】
ランプユニット４０は、本実施形態では、放電式のランプ４１を用いており、発光管で発光した光束をリフレクター４２で反射させて平行光として、次の照明光学系に射出する。なお、ランプ４１は、制御部１００からの制御信号を受信したランプ駆動部２３により駆動される。また、本実施形態のランプ４１は、高圧水銀ランプを使用している。
【００４５】
照明光学系は、発光管から射出された光束の照度を均一化し、各色光（赤色光、緑色光および青色光）に分離する。
【００４６】
光変調部は、本実施形態では、液晶パネル７２を用いており、照明光学系で分離された各色光の光束に対して画像情報に応じて変調して光学像を形成する。なお、液晶パネル７２は、前述した液晶パネル駆動部１７により駆動される。また、本実施形態の液晶パネル７２は、各色光に対応させて、３枚の液晶パネル７２を使用している。
【００４７】
色合成光学系は、照明光学系で色分離され液晶パネル７２で変調された各色光の光学像を合成する。
【００４８】
投写部は、本実施形態では、投写レンズ７３を用いており、各種レンズ群で構成され、色合成光学系で合成された光学像を投写する。上記光学系７０の構成および動作により、入力部９を介して入力された入力映像や、外部接続機器から受信した入力映像をプロジェクター１の外部に設置されるスクリーン５００に投写する。
【００４９】
次に、プロジェクター１の冷却構造および動作を説明する。
本実施形態のプロジェクター１は、ランプ４１の発熱に対して冷却ファン３３を用いて冷却している。以下に、ランプ４１の冷却構造および動作を説明する。
【００５０】
プロジェクター１は外装ケース９０により、外装が構成されている。また外装ケース９０には吸気口９１が形成され、外装ケース９０の内面側に吸気口９１を覆う形態で、フィルター９２が設置されている。また、ランプ４１とフィルター９２との間には、冷却ファン３３が設置される構成となっている。
【００５１】
このような構成において、冷却制御部２９からの駆動信号により冷却ファン３３が駆動を開始することにより、吸気口９１およびフィルター９２を介して、プロジェクター１の外部の外気をプロジェクター１の内部に吸気する。吸気された外気は、冷却ファン３３に導入され、冷却ファン３３の吐出口から吐出される。冷却ファン３３から吐出された外気は、ランプ４１に吹き付けられる。ランプ４１に外気が吹き付けられることにより、発熱しているランプ４１の熱を放熱させる。放熱されて温まった外気は、筐体２に設置される排気口からプロジェクター１の外部に排気される。この一連の動作により、ランプ４１は冷却される。フィルター９２は、外気を吸気した際に外気に含まれる粉塵などがプロジェクター１の内部に取り込まれることを防止している。
【００５２】
冷却制御部２９は、温度検出部３２で検出されるランプ４１の温度に対応して、冷却制御部２９内に保存されるランプ４１の検出温度に対する冷却ファン３３の駆動方法を示す制御用テーブルに基づいて、冷却ファン３３を駆動し冷却動作を制御している。
【００５３】
（設置状態毎の累積点灯時間の記録処理について）
次に、プロジェクター１の設置状態毎に累積点灯時間を記録する処理について図４を参照して説明する。
まず、ユーザーがプロジェクター１の電源をＯＮすると、第１の加速度センサー５３及び第２の加速度センサー５５によるプロジェクター１の設置状態の検出が可能となる。次にランプ４１が点灯される（ステップＳ１１）。
【００５４】
点灯時間測定部１０１は、センサー制御部５１から設置状態検出信号を受信すると、プロジェクター１の設置状態を検出し（ステップＳ１２）、タイマーをリセットし（ステップＳ１３）、ランプ４１の点灯時間の計測を開始する（ステップＳ１４）。
【００５５】
ランプ４１が消灯されると（ステップＳ１５：Ｙｅｓ）、点灯時間測定部１０１は点灯時間の計測を終了し、各設置状態における累積点灯時間を、ランプユニット４０の記録部４６に記録する（ステップＳ１７）。
【００５６】
電源ＯＮ後、最初の点灯時間の測定である場合は、記録部４６の設置状態毎に割り当てられた番地に、計測した点灯時間を記録する。一方、２回目以降の点灯時間の測定である場合は、各設置状態の累積点灯時間が記録されている該当番地から値を読み出し、今回計測した点灯時間をそれぞれ積算する。積算値を新たな累積点灯時間として該当番地に書き込み更新する。
【００５７】
一方、ランプ４１が消灯されず点灯されたまま、プロジェクター１の設置状態が変更された場合は（ステップＳ１５：Ｎｏ，ステップＳ１６：Ｙｅｓ）、再びプロジェクター１の設置状態を検出する（ステップＳ１２）。点灯時間測定部１０１はタイマーをリセットして（ステップＳ１３）再び点灯時間の計測を開始する（ステップＳ１４）。ランプ４１が点灯したまま、プロジェクター１の設置状態に変更がない場合は（ステップＳ１５：Ｎｏ，ステップＳ１６：Ｎｏ）、点灯時間の計測を継続する。
【００５８】
上記処理によれば、ステップＳ１２において設置状態検出部がプロジェクター１の設置状態を自動的に検出するので、検出された設置状態の累積点灯時間を測定し、設置状態毎に累積点灯時間を記録しておくことができる。このため、プロジェクター１の設置状態を変更する度に、ユーザーが自ら手動で設置状態を設定する必要がない。
【００５９】
（累積点灯時間の総和の算出と表示処理について）
次に、設置状態毎に記録した累積点灯時間の和を算出し、表示する処理について図５を参照して説明する。
積算値変換部１０３は、図４で説明した累積点灯時間の記録処理によって、ランプユニット４０の記憶部４６に記録された各設置状態における累積点灯時間を取得する（ステップＳ２１）。取得した累積点灯時間に、設置状態に応じた所定の係数を乗じて対応累積点灯時間を算出する（ステップＳ２３）。なお、所定の係数を乗じる対象となる累積点灯時間は、基準となる設置状態以外の設置状態における累積点灯時間である。
【００６０】
次に、警報通知部１０５は、基準となる設置状態における累積点灯時間とステップＳ２３で算出した対応累積点灯時間の和を算出する。また、算出した累積点灯時間の和をプロジェクター１のランプ点灯時間情報として、映像音声処理部１３を介してスクリーン５００へ表示する（ステップＳ２５）。
【００６１】
累積点灯時間を表示するタイミングとしては、例えば低輝度におけるランプ４１の寿命が３０００時間であったとすると、３０００時間に到達する１００時間前に表示する。すなわち累積点灯時間が３０００時間−１００時間＝２９００時間になったときに表示するように設定してもよい。ランプ４１の完全な寿命時間が経過する前に累積点灯時間を表示することで、ユーザーは交換するランプユニット４０を予め購入して準備しておくことができる。
【００６２】
次に、警報通知部１０５は、累積点灯時間の和がランプ４１の寿命に達したか否かを判定する（ステップＳ２７）。ランプ４１の寿命に達していると判定した場合は（ステップＳ２７：Ｙｅｓ）、映像音声処理部１３を介してスクリーン５００へ警告メッセージを表示したり、スピーカー２１から警告メッセージを発生する（ステップＳ２９）。一方、ランプ４１の寿命に達していない場合は（ステップＳ２７：Ｎｏ）、処理を終了する。
【００６３】
＜累積点灯時間の算出例について＞
例えば、ステップＳ２１においてランプユニット４０の記憶部４６から取得した各設置状態における累積点灯時間を表１に示す。
【００６４】
【表１】
2011075972.tif 000003
【００６５】
所定の係数は、正置き設置を基準として、上投写設置の場合は２、下投写設置の場合は１．５とする。ステップＳ２５において算出する累積点灯時間の和は以下の式によって求められる。なお、ここでは低輝度における累積点灯時間を算出する。
（数１）
累積点灯時間（時間単位）＝正置き設置［ｈ］＋（上投写設置［ｈ］×２）＋（下投写設置［ｈ］×１．５）・・・  式１
小数点以下切捨てるものとする。
（数２）
累積点灯時間（秒単位）＝（正置き設置［ｓ］＋（上投写設置［ｓ］×２）＋（下投写設置［ｓ］×１．５））／３６００で割った余り）・・・  式２
【００６６】
上記式１、式２及び表１の値を用いて具体的な計算を行うと、
累積点灯時間（時間単位）＝２５．５＋（１０．２５×２）＋（１５．７５×１．５）＝６９．６２５
累積点灯時間（秒単位）＝（９１８００＋（３６９００×２）＋（５６７００×１．５））／３６００で割った余り＝２２５０
したがって、ランプの累積点灯時間の和は、６９［ｈ］２２５０［ｓ］  （６９時間３７分３０秒）となる。
【００６７】
このようにして算出した値が、ランプ４１の寿命に達していた場合は、ステップＳ２９において警告メッセージを表示あるいは発生する。
【００６８】
以上のように、本実施形態のプロジェクター１によれば、プロジェクターの設置状態を変更して使用した場合でも、設置状態に応じてランプの点灯時間がランプユニット４０の記録部４６に書き込まれるので、正確なランプ交換時期を通知するために必要なランプ点灯時間を保持することができる。
【００６９】
さらに、記録部４６がランプユニット４０に備えられているため、ランプユニット４０ごと他のプロジェクターに付け替えた場合でも、ランプ点灯時間はリセットされることなく累積されるので、正確なランプ点灯時間を取得することができる。
【００７０】
また、累積点灯時間に所定の係数を乗じることによって、ある設置状態における累積点灯時間を、基準とする設置状態における点灯時間に変換することができる。本実施形態のように上投写設置や下投射設置におけるランプの累積点灯時間を、基準とする正置き設置におけるランプの累積点灯時間に変換することができる。すなわち、プロジェクター１の設置状態によってランプの寿命が短くなる場合でも、所定の係数を乗じることによって、短くなった分を考慮した累積点灯時間を取得することができる。
【００７１】
また、基準とする設置状態における累積点灯時間と対応累積点灯時間の和を算出する。この和がランプの寿命に達している場合に警告を出力することができる。これにより、正確なランプ交換時期をユーザーに通知することができる。
【００７２】
（変形例）
なお、上記実施形態では、プロジェクター１の設置状態を２つの加速度センサーによって検出したが、３軸加速度センサーや３軸地磁気センサーを利用してもよい。
【００７３】
また、上記実施形態では、記憶部４６はランプユニット４０に備えられていたが、図６のようにプロジェクター１本体に備えられていてもよい。このようにすることで、消耗品であるランプユニットのコストを削減することができる。
【００７４】
また、上記実施形態では、各設置状態における累積点灯時間を記憶部４６に記憶させているが、各設置状態における点灯時間をあらかじめ基準となる設置状態における点灯時間に変換し、それらを加算した累積点灯時間を記憶部４６に記憶させてもよい。
【００７５】
また、警告メッセージをスクリーン５００に表示する以外にも、操作パネル３１にＬＣＤ（Liquid Crystal Display）があれば、そこに警告メッセージを表示させてもよい。
【００７６】
また、上述した各実施形態では、光源からの光を光変調部である液晶パネル７２によって変調し投影する液晶ライトバルブ方式のプロジェクターを例示したが、本発明はその他の方式を採用するプロジェクターにも適用することもできる。具体的には、ＤＭＤ（Digital Micromirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００７７】
１：プロジェクター、１３：映像音声処理部、１５：映像処理部、１７：液晶パネル駆動部、１９：音声処理部、２１：スピーカー、２３：ランプ駆動部、２５：キー入力処理部、２７：リモコン受光部、２９：冷却制御部、３１：操作パネル、３２：温度検出部、３３：冷却ファン、３７：キー操作処理部、４０：ランプユニット、４１：ランプ、４２：リフレクター、４５：光源、４６：記憶部、４７：インターフェイス（Ｉ／Ｆ）、５１：センサー制御部、５３：第１の加速度センサー、５５：第２の加速度センサー、７０：光学系、７２：液晶パネル、７３：投写レンズ、９１：吸気口、９２：フィルター、１００：制御部、１０１：点灯時間測定部、１０３：積算値変換部、１０５：警報通知部、２００：リモートコントローラー、５００：スクリーン。
【図１】
2011075972.tif 000004
【図２】
2011075972.tif 000005
【図３】
2011075972.tif 000006
【図４】
2011075972.tif 000007
【図５】
2011075972.tif 000008
【図６】
2011075972.tif 000009